(57)【要約】【課題】拡大して拡大領域の変更が行われた後、状況に応じた適切なフォーカス調整位置を示す画像を表示することを目的とする。【解決手段】撮像画像中の一部の拡大領域が表示手段に表示された拡大表示状態において、表示手段の表示対象の拡大領域の移動指示を受け付ける受付手段と、拡大表示状態から、撮像画像の全体を表示する全体表示状態へ切り替える切替手段と、拡大表示状態から全体表示状態へ切り替えられた際に、拡大表示状態において特定の操作が行われていた場合には、移動指示による拡大領域の移動後の拡大領域に応じて定まる位置に焦点調整に関する表示アイテムを表示し、拡大表示状態において特定の操作が行われていなかった場合には、移動指示による拡大領域の移動にはかかわらない位置に、焦点調整に関する表示アイテムを表示するよう制御する表示制御手段とを有する。【選択図】図２
2018078508.tif 000002
【特許請求の範囲】
【請求項１】
撮像画像中の一部の拡大領域が表示手段に表示された拡大表示状態において、前記表示手段の表示対象の拡大領域の移動指示を受け付ける受付手段と、
前記拡大表示状態から、前記撮像画像の全体を表示する全体表示状態へ切り替える切替手段と、
前記拡大表示状態から前記全体表示状態へ切り替えられた際に、前記拡大表示状態において特定の操作が行われていた場合には、前記移動指示による拡大領域の移動後の拡大領域に応じて定まる位置に焦点調整に関する表示アイテムを表示し、前記拡大表示状態において前記特定の操作が行われていなかった場合には、前記移動指示による拡大領域の移動にはかかわらない位置に、焦点調整に関する前記表示アイテムを表示するよう制御する表示制御手段と
を有することを特徴とする表示制御装置。
【請求項２】
前記特定の操作は、第１の操作方法で拡大表示を解除する操作であり、
前記表示制御手段は、第２の操作方法で拡大表示を解除する操作が行われた場合には、前記拡大表示が解除された際に前記移動指示による前記拡大領域の移動にかかわらない位置に、前記表示アイテムを表示するよう制御することを特徴とする請求項１に記載の表示制御装置。
【請求項３】
前記第１の操作方法と前記第２の操作方法は、操作対象の操作部材が異なる操作方法であることを特徴とする請求項２に記載の表示制御装置。
【請求項４】
前記表示制御手段は、前記第１の操作方法で操作した場合と前記第２の操作方法で操作した場合とで、前記表示アイテムの表示位置が変わることを示す第１のガイドの表示を行うよう制御することを特徴とする請求項２又は３に記載の表示制御装置。
【請求項５】
前記特定の操作は、焦点を調整する操作であることを特徴とする請求項１に記載の表示制御装置。
【請求項６】
前記全体表示状態から前記拡大表示状態に切り替えらえた際に、切り替わる前の前記全体表示状態において表示していた前記表示アイテムの位置に相当する情報を保持する保持手段をさらに有し、
前記表示制御手段は、前記拡大表示状態から前記全体表示状態に切り替わる際に、前記移動指示による拡大領域の移動にはかかわらない位置に前記表示アイテムを表示する場合には、前記保持手段で保持した情報に基づく位置に前記表示アイテムを表示するように制御することを特徴とする請求項１乃至５の何れか１項に記載の表示制御装置。
【請求項７】
前記表示制御手段は、前記拡大表示状態において、前記撮像画像に対する、前記保持手段により保持される情報が示す位置と、前記拡大領域の位置と、を示す第２のガイドを表示するよう制御することを特徴とする請求項６に記載の表示制御装置。
【請求項８】
前記表示制御手段は、前記全体表示状態において、前記撮像画像に重畳して前記表示アイテムを表示するよう制御することを特徴とする請求項１乃至７の何れか１項に記載の表示制御装置。
【請求項９】
前記表示制御手段は、前記拡大表示状態から前記全体表示状態に切り替わった際に、前記移動指示による拡大領域の移動後の拡大領域に応じて定まる位置に前記表示アイテムを表示する場合には、移動後の前記拡大領域のうち、フォーカス評価値の最も高い位置に前記表示アイテムを表示するよう制御することを特徴とする請求項１乃至８の何れか１項に記載の表示制御装置。
【請求項１０】
前記表示制御手段は、前記拡大表示状態から前記全体表示状態に切り替わった際に、前記移動指示による拡大領域の移動後の拡大領域に応じて定まる位置に前記表示アイテムを表示する場合には、移動後の前記拡大領域から検出された特定の被写体の位置に前記表示アイテムを表示するよう制御することを特徴とする請求項１乃至８の何れか１項に記載の表示制御装置。
【請求項１１】
前記表示アイテムが表示される位置は、ＡＦを行う対象となる焦点調整位置又はデフォーカス量を取得する位置であることを特徴とする請求項１乃至１０の何れか１項に記載の表示制御装置。
【請求項１２】
表示制御装置が実行する表示制御方法であって、
撮像画像中の一部の拡大領域が表示手段に表示された拡大表示状態において、前記表示手段の表示対象の拡大領域の移動指示を受け付ける受付ステップと、
前記拡大表示状態から、前記撮像画像の全体を表示する全体表示状態へ切り替える切替ステップと、
前記拡大表示状態から前記全体表示状態へ切り替えられた際に、前記拡大表示状態において特定の操作が行われていた場合には、前記移動指示による拡大領域の移動後の拡大領域に応じて定まる位置に焦点調整に関する表示アイテムを表示し、前記拡大表示状態において前記特定の操作が行われていなかった場合には、前記移動指示による拡大領域の移動にはかかわらない位置に、焦点調整に関する前記表示アイテムを表示するよう制御する表示制御ステップと
を含むことを特徴とする表示制御方法。
【請求項１３】
コンピュータを、請求項１乃至１１の何れか１項に記載された表示制御装置の各手段として機能させるためのプログラム。
【請求項１４】
コンピュータを、請求項１乃至１１の何れか１項に記載された表示制御装置の各手段として機能させるためのプログラムを格納したコンピュータが読み取り可能な記憶媒体。
【発明の詳細な説明】
【技術分野】
【０００１】
本発明は、撮像手段によって得られた映像を拡大表示する機能を備えた表示制御装置に関するものである。
【背景技術】
【０００２】
従来、オートフォーカス（ＡＦ）を備えた撮像装置においては、ＡＦ制御の対象となるフォーカシングエリアを映像上に矩形等で表示（ＡＦ枠表示）することが多い。また、その合焦度合いを確認するために、フォーカシングエリアに関する領域を拡大表示する機能を備えた撮像装置が知られている。特許文献１には、ＡＦ枠表示を移動した後で拡大表示を行うと、ＡＦ枠を中心とする領域を拡大表示し、拡大位置が移動した場合は、フォーカシングエリアは変更せず、拡大表示終了後は元の位置にＡＦ枠を表示する技術が開示されている。また、特許文献２には、拡大表示後に拡大位置を移動した場合は、それに合わせてフォーカシングエリアを移動する技術が開示されている。
【先行技術文献】
【特許文献】
【０００３】
【特許文献１】特開２０１３−２０１５２７号公報
【特許文献２】特開２００８−２１１６３０号公報
【発明の概要】
【発明が解決しようとする課題】
【０００４】
しかしながら、フォーカシングエリアをどの位置にするのが望ましいかは、一律に決まるものではない。例えば、フォーカシングエリアを主被写体に合わせた状態で拡大した後、拡大領域を移動して一時的に他の被写体を確認した場合は、拡大を終了した後もフォーカシングエリアは元の主被写体上に残っていることが望ましい。一方、拡大中に移動した被写体を拡大領域で追った場合は、拡大終了後にフォーカシングエリアが移動していることが望ましい。
【０００５】
本発明はこのような問題点に鑑みなされたもので、拡大して拡大領域の変更が行われた後、状況に応じた適切なフォーカス調整位置を示す画像を表示することを目的とする。
【課題を解決するための手段】
【０００６】
そこで、本発明は、表示制御装置であって、撮像画像中の一部の拡大領域が表示手段に表示された拡大表示状態において、前記表示手段の表示対象の拡大領域の移動指示を受け付ける受付手段と、前記拡大表示状態から、前記撮像画像の全体を表示する全体表示状態へ切り替える切替手段と、前記拡大表示状態から前記全体表示状態へ切り替えられた際に、前記拡大表示状態において特定の操作が行われていた場合には、前記移動指示による拡大領域の移動後の拡大領域に応じて定まる位置に焦点調整に関する表示アイテムを表示し、前記拡大表示状態において前記特定の操作が行われていなかった場合には、前記移動指示による拡大領域の移動にはかかわらない位置に、焦点調整に関する前記表示アイテムを表示するよう制御する表示制御手段とを有することを特徴とする。
【発明の効果】
【０００７】
本発明によれば、拡大して拡大領域の変更が行われた後、状況に応じた適切なフォーカス調整位置を示す画像を表示することができる。
【図面の簡単な説明】
【０００８】
【図１】デジタルビデオカメラの構成を示すブロック図である。
【図２】表示制御処理を示すフローチャートである。
【図３】表示部の表示例を示す図である。
【図４】表示制御処理を示すフローチャートである。
【図５】表示部の表示例を示す図である。
【発明を実施するための形態】
【０００９】
以下、本発明の実施形態について図面に基づいて説明する。
【００１０】
（第１の実施形態）
図１は、第１の実施形態に係るデジタルビデオカメラの構成を示すブロック図である。デジタルビデオカメラは、表示制御装置の一例である。１００は、デジタルビデオカメラの筺体であり、その多くの構成要素を内包している。１０１は鏡筒であり、フォーカスレンズや防振レンズを含む撮像レンズ、絞りを含むとともに、多くの場合、フォーカスリング１１１と一体で構成される。鏡筒１０１は筺体１００と一体であっても分離可能であっても構わない。１０２は撮像部であり、光学像を電気信号に変換する撮像センサー、アナログ信号をデジタル信号に変換するＡ／Ｄ変換器を含む。
【００１１】
１０３は映像処理部であり、撮像部１０２からのデータ、又は、メモリ制御部１０８からのデータに対し所定のリサイズ処理やトリミング処理、色変換処理、歪曲補正処理を行い、メモリ制御部１０８を介してメモリ１０９へＶＲＡＭを生成する。また、映像処理部１０３は、撮像した映像データを用いて所定の演算処理を行う。映像処理部１０３により得られた演算結果に基づいてシステム制御部１１０が露光制御、測距制御、防振制御を行う。所定の演算処理には、顔などの被写体を検出する機能も含まれる。これにより、ＡＦ（オートフォーカス）処理、ＡＥ（自動露出）処理、防振処理が行われる。映像処理部１０３は更に、撮像した映像データを用いて所定の演算処理を行い、得られた演算結果に基づいてＡＷＢ（オートホワイトバランス）処理を行う。映像処理部１０３はまた、エンコード済み映像データをＣＯＤＥＣ１０４がデコードしたＶＲＡＭを入力し、リサイズ処理や色変換処理を行って新たなＶＲＡＭを生成する。
【００１２】
１０４はＣＯＤＥＣであり、映像処理部１０３で生成したＶＲＡＭをＭＰＥＧ２やＨ．２６４等の動画圧縮方式でエンコードしたり、メモリ制御部１０８からのエンコード済み映像データをデコードし、メモリ制御部１０８へＶＲＡＭとして渡したりする。１０５は映像出力部であり、メモリ１０９に記憶された複数のＶＲＡＭをメモリ制御部１０８を介して読み出し、それらを重畳して映像信号化する。ＶＲＡＭ内の一部の領域のみを切り出して拡大し、映像信号化することもできる。また、入力されたＶＲＡＭで示される映像のシャープネスを調整したり、映像のエッジを強調するピーキング処理を適用したりして出力することもできる。
【００１３】
１０６は表示部であり、映像出力部１０５から出力された映像信号が表示される。表示部１０６は、液晶パネルや有機ＥＬパネル等の小型表示装置で構成される。本デジタルビデオカメラと一体化した表示部であっても、デジタルビデオカメラと接続して利用する外部装置であってもよい。
【００１４】
１０７はＧＰＵ（グラフィックスプロセッシングユニット）であり、デジタルビデオカメラの状態や設定を表す文字列やアイコン、および各種の枠やマーカーをメモリ１０９上のＶＲＡＭへレンダリングする。文字やアイコンは不揮発性メモリ１２４に格納されており、それをＧＰＵ１０７が読みだしてＶＲＡＭへレンダリングする。また、ＧＰＵ１０７は、ＶＲＡＭをトリミングしたり、複数のＶＲＡＭを合成したり、異なる解像度のＶＲＡＭへリサイズしたりするミキサー機能も備えている。ミキサーには、レンダリングされたＶＲＡＭの色空間を映像出力部１０５が求める色空間へ変換する機能も含まれる。
【００１５】
１０８はメモリ制御部であり、各ブロックからメモリ１０９へのアクセス要求を調停する機能を備える。１０９はメモリであり、映像処理部１０３、ＣＯＤＥＣ１０４、映像出力部１０５、ＧＰＵ１０７のそれぞれが扱うＶＲＡＭを格納する。また、ＣＯＤＥＣ１０４から出力されたエンコード済み映像データや、記録媒体１２６から読み出されたエンコード済み映像データを一時的に記憶する機能も果たす。メモリ１０９は、所定時間の動画像および音声を格納するのに十分な記録容量を備えている。
【００１６】
１１０はシステム制御部であり、デジタルビデオカメラ全体を制御する。システム制御部１１０は、不揮発性メモリ１２４に記録されたプログラムを読み出して実行することで各部を制御し、本実施形態の各動作を実現する。システム制御部１１０は複数のＣＰＵコアを備えていても構わない。その場合は、プログラムに記述されたタスクを複数のＣＰＵコアで分担して処理することができる。
【００１７】
１１１はフォーカスリングであり、鏡筒１０１に含まれるフォーカスレンズを駆動してピント合わせ指示するための操作部である。フォーカスリング１１１はメカ構造でフォーカスレンズと直結している場合や、システム制御部１１０を介して電気的に連携している場合がある。いずれの場合も、システム制御部１１０はフォーカスリング１１１が操作されたことを検出することができる。
【００１８】
１１２はフォーカスモードをＡＦまたはＭＦに切り替えることを指示するためのスイッチである。フォーカスモードがＡＦのときは、フォーカスリング１１１を操作しなくても、映像処理部１０３から得られるフォーカス評価値や被写体検出情報をもとに、システム制御部１１０がフォーカスリングを自動で駆動する。フォーカスモードがＭＦのときは、フォーカスリング１１１を操作するか、ワンショットＡＦキー１１７が押されたときのみ、フォーカスリングが駆動する。
【００１９】
１１３は表示部１０６上にメニュー画面を開いたり閉じたりすることを指示するためのメニューキーである。メニュー画面表示中の操作によって、本デジタルビデオカメラ各部の設定を変更することができる。例えば、ＡＦ時のフォーカス駆動速度を設定したり、被写体検出機能の有効無効を選択したりできる。１１４は十字キーであり、様々な用途で使われる。例えば、メニュー画面上に表示されるカーソルの移動を指示するときに利用する。１１５はＳＥＴキーであり、様々な用途で使われる。例えば、メニュー画面上でカーソルによって選択された設定項目や設定値の確定を指示するときに利用する。１１６はキャンセルキーであり、様々な用途で使われる。例えば、メニュー画面上で設定途中の状態から直前の状態に戻ったり、メニュー画面を閉じたりするよう指示するときに利用する。
【００２０】
１１７はワンショットＡＦキーである。フォーカスモードがＭＦであっても、このキーが押されている間は、ＡＦのときと同じようにシステム制御部１１０が各部を制御する。１１８は拡大キーである。このキーを押下すると、システム制御部１１０から映像出力部１０５へ拡大表示が指示され、表示部１０６に表示されていた映像の一部が拡大されて表示されるようになる。フォーカスリング１１１によってピント合わせを行う（ＭＦを行う）ときや、ワンショットＡＦキー１１７でピント合わせを行った後（ＡＦを行った後）でその結果を確認したいときなどに、映像が拡大表示される。これにより、フォーカスの状態をより正確に視認することが可能となる。システムタイマー１１９は各種制御に用いる時間や、内蔵された時計の時間を計測する計時部である。
【００２１】
１２０はシステムメモリであり、ＲＡＭが用いられる。システムメモリ１２０には、システム制御部１１０の動作用の定数、変数、不揮発性メモリ１２４から読み出したプログラム等を展開する。また、システム制御部はメモリ１０９、ＧＰＵ１０７、映像出力部１０５を制御することにより表示制御も行う。システムメモリ１２０はメモリ１０９と共通であってもよい。その場合はメモリ制御部１０８によってアクセスが調停されるので、高速にアクセス可能な小容量のメモリを別途システム制御部１１０に直結して備えることがある。
【００２２】
１２１は電源スイッチであり、本デジタルビデオカメラ全体の電源オン、電源オフの要求をシステム制御部１１０へ発行する。１２２は電源制御部であり、電池検出回路、ＤＣ−ＤＣコンバータ、通電するブロックを切り替えるスイッチ回路等により構成され、電池の装着の有無、電池の種類、電池残量の検出を行う。また、電源制御部１２２は、その検出結果及びシステム制御部１１０の指示に基づいてＤＣ−ＤＣコンバータを制御し、必要な電圧を必要な期間、記録媒体１２６を含む各部へ供給する。１２３は電源部であり、アルカリ電池やリチウム電池等の一次電池やＮｉＣｄ電池やＮｉＭＨ電池、Ｌｉ電池等の二次電池、ＡＣアダプター等からなる。
【００２３】
不揮発性メモリ１２４は、電気的に消去・記録可能なメモリであり、例えばＥＥＰＲＯＭ等が用いられる。不揮発性メモリ１２４には、システム制御部１１０の動作用の定数、プログラム等が記録される。ここでいう、プログラムとは、本実施形態にて後述する各種フローチャートを実行するためのプログラムのことである。なお、後述するデジタルビデオカメラの機能や処理は、システム制御部１１０が不揮発性メモリ１２４等に格納されているプログラムを読み出し、このプログラムを実行することにより実現されるものである。
【００２４】
１２５はメモリカードやハードディスク等の記録媒体１２６とのインターフェース（Ｉ／Ｆ）である。１２６はメモリ１０９に格納されたエンコード済み映像データを、Ｉ／Ｆ１２５によって記録し、また自身に記録されているエンコード済み映像データ及び付随するデータを、Ｉ／Ｆ１２５によって読み出してメモリ１０９に転送する記録媒体である。記録媒体１２６はデジタルビデオカメラに装着されるメモリカードやハードディスクドライブやディスクであってもよいし、デジタルビデオカメラ内に組み込まれたフラッシュメモリやハードディスクドライブであってもよい。
【００２５】
図２は、デジタルビデオカメラによる表示制御処理を示すフローチャートである。なお、このフローチャートの動作は、システム制御部１１０が不揮発性メモリ１２４に記憶されたプログラムに基づいて、デジタルビデオカメラの各部を制御することによって実現される。このフローチャートは、フォーカスモードスイッチ１１２がＭＦに設定されている状態で実行される。また、図３は、図２のフローチャートが示す動作の過程における表示部１０６の表示例を示す図である。
【００２６】
Ｓ２０１において、システム制御部１１０は、撮像部１０２により撮像された映像を表示するよう制御する。システム制御部１１０はさらに、映像上に、映像に対して設定されたフォーカス調整位置を示すフォーカス枠を表示部１０６に表示するよう制御する。ここで、映像は、撮像画像の一例である。また、拡大表示の対象となる一部の領域の映像と区別するために、Ｓ２０１において表示対象となる、映像の全体を全体映像と称する。また、映像に対して設定されたフォーカス調整位置を設定位置と称することとする。なお、設定位置は、撮影制御処理等におけるフォーカス調整位置の初期値として用いられる等、フォーカスに係る処理の初期値として用いられる。設定位置は、例えば、ＡＦを行う対象となる焦点調整位置やデフォーカス量を取得する位置として用いられる。
【００２７】
図３（ａ）は、Ｓ２０１における表示部１０６の表示例を示す図である。表示部１０６には、被写体３０１、３０２を含む全体映像３００が表示されている。さらに、矩形のフォーカス枠３０３が全体映像３００上に重畳表示されている。ここで、フォーカス枠３０３は、焦点調整に関するフォーカス調整位置を示す表示アイテムの一例である。全体映像３００に対しては、被写体３０１上の位置がフォーカス調整位置の設定位置として設定されており、この位置にフォーカス枠３０３が表示されている。フォーカス調整位置は、基本的にはＡＦ位置であり、ＡＦの指示があった場合にこの位置に対してＡＦが行われる。フォーカス枠３０３は、撮像部１０２に含まれる撮像センサーの構成によっては、重なった被写体の位置と合焦位置との距離の差を示す指標（デフォーカス量に基づいて合焦度合いを示すフォーカスガイド）をさらに示してもよい。この場合、ユーザは、フォーカスリング１１１の操作によってピント合わせを行った結果を、映像の目視及び指標が表す距離差の双方で確認することができる。
【００２８】
次に、Ｓ２０２において、システム制御部１１０は、拡大キー１１８が押下されたか否かを判定するステップである。システム制御部１１０は、拡大キーが押下されたと判定した場合には（Ｓ２０２でｙｅｓ）、処理をＳ２０７へ進める。システム制御部１１０は、拡大キーが押下されていないと判定した場合には（Ｓ２０２でｎｏ）、処理をＳ２０３へ進める。Ｓ２０３において、システム制御部１１０は、十字キー１１４のいずれかの方向が押下されたか否かを判定する。システム制御部１１０は、いずれかの方向が押下された場合には（Ｓ２０３でｙｅｓ）、処理をＳ２０４へ進める。システム制御部１１０は、十字キー１１４が押下されていない場合には（Ｓ２０３でｎｏ）、処理をＳ２０５へ進める。Ｓ２０４において、システム制御部１１０は、十字キー１１４の押下された方向へ、フォーカス調整位置を移動し、移動したフォーカス調整位置を示すようにフォーカス枠３０３を移動する。なお、フォーカス調整位置を示す情報はシステムメモリ１２０に保持されているものとし、フォーカス枠３０３の移動に合わせて更新されるものとする。なお、本実施形態においては、フォーカス調整位置は、１点の座標値であり、フォーカス枠は、フォーカス調整位置を中心とした矩形領域を示すものとする。ただし、他の例としては、フォーカス調整位置は、フォーカス枠のような矩形領域を表す値であってもよいし、複数のフォーカス調整位置候補のうち、何れかであるかを示す識別子であっても良い。
【００２９】
Ｓ２０５において、システム制御部１１０は、フォーカスリング１１１又はワンショットＡＦキー１１７が操作されたか否かを判定する。システム制御部１１０は、フォーカスリング１１１又はワンショットＡＦキー１１７が操作されたと判定した場合には（Ｓ２０５でｙｅｓ）、処理をＳ２０６へ進める。システム制御部１１０は、フォーカスリング１１１及びワンショットＡＦキー１１７が操作されていないと判定した場合には（Ｓ２０５でｎｏ）、処理をＳ２０２へ進める。
【００３０】
Ｓ２０６において、システム制御部１１０は、鏡筒１０１内のフォーカスレンズを駆動し、フォーカスを調整する。システム制御部１１０は、例えば、Ｓ２０５でフォーカスリング１１１が回転した場合には、システム制御部１１０は、フォーカスリング１１１の回転角に応じてフォーカスを調整する（ＭＦ操作）。また、システム制御部１１０は、Ｓ２０５でワンショットＡＦキー１１７が押下された場合には、フォーカス枠３０３が重畳表示されているフォーカス調整位置の被写体にピントが合うように自動調整（ＡＦ）する。システム制御部１１０は、Ｓ２０６の処理の後、処理をＳ２０２へ進める。
【００３１】
Ｓ２０７において、システム制御部１１０は、処理時点において、システムメモリ１２０に保持しているフォーカス調整位置を示す情報、すなわちフォーカス枠の位置に相当する情報を、フォーカス調整位置の仮値として、システムメモリ１２０に別途記録する。なお、この時点での設定位置は、フォーカス枠の表示位置に一致する。次に、Ｓ２０８において、システム制御部１１０は、映像出力部１０５を介して、映像を拡大表示するよう制御する。このとき、システム制御部１１０は、フォーカス調整位置、すなわち、フォーカス枠３０３の中心座標と一致する位置を中心とした、拡大率により定まる、撮像画像中の一部の領域の拡大映像を表示する。以下、拡大表示の対象となる領域を拡大領域と称する。
【００３２】
なお、フォーカス枠３０３が全体映像３００の周辺部に表示されていると、中心座標を一致させたときに拡大領域が映像領域からはみ出してしまう可能性がある。そこで、システム制御部１１０は、拡大領域が映像領域からはみ出さず、かつ双方の中心座標ができるだけ近くなる領域を拡大領域として決定する。また、フォーカス枠３０３の表示位置や拡大領域の位置が、ある移動間隔に制約されている場合がある。この場合も、システム制御部１１０は、拡大領域の中心座標とフォーカス枠３０３の中心座標ができるだけ近くなる領域を拡大領域として決定する。これにより、ユーザは、フォーカス枠が重畳表示された被写体に基づいて調整したフォーカスの状態を、拡大後にスムーズに確認することができる。なお、システム制御部１１０は、拡大とともにシャープネスを強調したり、ピーキング処理を適用したりしてもよい。これによって拡大された映像のフォーカス状態をより分かりやすく示すことができる。
【００３３】
次に、Ｓ２０９において、システム制御部１１０は、Ｓ２０８において表示された拡大映像上にレーダを重畳表示する。ここで、レーダは、全体映像に対する拡大領域の位置と、フォーカス調整位置とを示す画像である。図３（ｂ）は、Ｓ２０９における表示部１０６の表示例を示す図である。表示部１０６には、全体映像３００の一部の領域（拡大領域）の拡大映像３１０が表示されている。拡大表示されているため、拡大映像３１０においては、被写体３０１、３０２が図３（ａ）に示す被写体３０１、３０２に比べて大きく表示されている。さらに、レーダ３２０が拡大映像３１０上に重畳して表示されている。
【００３４】
レーダ３２０は、撮像部１０２で撮像された全体映像を矩形で示す画像である。さらに、レーダ３２０は、拡大領域指標３２１と、フォーカス調整位置指標３２２とを含んでいる。拡大領域指標３２１は、レーダ３２０の矩形において、拡大領域の位置に描画された画像である。すなわち、拡大領域指標３２１は、拡大領域の位置を示す画像である。また、フォーカス調整位置指標３２２は、レーダ３２０の矩形において、フォーカス調整位置に描画された画像である。このフォーカス調整位置指標３２２は、Ｓ２０７で記録した、フォーカス調整位置の仮値に基づいて表示されており、拡大表示状態に切り替えられる前の全体表示状態の際のフォーカス調整位置を示している。ここで、拡大表示状態は、拡大領域が表示部１０６に表示された状態であり、全体表示状態は、全体映像が表示された状態である。すなわち、レーダ３２０は、全体映像におけるフォーカス調整位置を示す画像であり、フォーカス調整位置を示す表示アイテムの一例である。なお、Ｓ２０９の処理時点においては、拡大領域の位置とフォーカス調整位置とは同じ位置になるため、拡大領域指標３２１と、フォーカス調整位置指標３２２は重なった状態で表示されている。レーダ３２０の表示により、ユーザは、処理時点において表示部１０６に拡大表示されている拡大領域の位置と、フォーカス調整位置とを視覚的に確認することができる。
【００３５】
次に、Ｓ２１０において、システム制御部１１０は、フォーカスリング１１１又はワンショットＡＦキー１１７が操作されたか否かを判定する。Ｓ２１０の処理は、Ｓ２０５の処理と同様である。システム制御部１１０は、フォーカスリング１１１又はワンショットＡＦキー１１７が操作されたと判定した場合には（Ｓ２１０でｙｅｓ）、処理をＳ２１１へ進める。システム制御部１１０は、フォーカスリング１１１又はワンショットＡＦキー１１７が操作されていないと判定した場合には（Ｓ２１０でｎｏ）、処理をＳ２１２へ進める。Ｓ２１１において、システム制御部１１０は、鏡筒１０１内のフォーカスレンズを駆動し、フォーカスを調整する。システム制御部１１０は、Ｓ２１１の処理の後、処理をＳ２１０へ進める。なお、Ｓ２１１においてフォーカスを調整する処理は、Ｓ２０６の処理と同様である。システムメモリ１２０に保持したフォーカス調整位置は、後述するＳ２１３の処理において拡大領域に合わせて更新されるため、Ｓ２１１でＡＦが行われる場合は、拡大領域内に対してＡＦが行われる。
【００３６】
Ｓ２１２において、システム制御部１１０は、十字キー１１４のいずれかの方向が押下されたか否かを判定する。システム制御部１１０は、十字キー１１４が押下されたと判定された場合には（Ｓ２１２でｙｅｓ）、処理をＳ２１３へ進める。システム制御部１１０は、十字キー１１４が押下されていないと判定された場合には（Ｓ２１２でｎｏ）、処理をＳ２１６へ進める。Ｓ２１３において、システム制御部１１０は、十字キー１１４の操作に応じて、表示部１０６の表示対象となる拡大領域の移動指示を受け付け、移動指示に応じて拡大領域を移動し、移動後の拡大領域を表示するように制御する。本処理は、移動指示を受け付ける受付処理及び移動指示に応じた移動後の拡大領域を表示するよう制御する表示制御処理の一例である。システム制御部１１０はさらに、移動後の拡大領域の位置に基づいて、新たなフォーカス調整位置を決定し、システムメモリ１２０に保持しているフォーカス調整位置を、新たなフォーカス調整位置に更新する。より具体的には、システム制御部１１０は、移動後の拡大領域の中心座標にできるだけ近い位置を新たなフォーカス調整位置として決定する。なお、フォーカス調整位置指標３２２は、Ｓ２０７で記録したフォーカス調整位置の仮値に基づいて表示されるため、Ｓ２１１でフォーカス調整位置が更新されても、フォーカス調整位置指標３２２の表示位置は変わらない。
【００３７】
なお、フォーカス調整位置は、処理時点において表示されていた拡大領域の位置に基づいて決定されればよく、そのための具体的な方法は実施形態に限定されるものではない。他の例としては、システム制御部１１０は、拡大領域を複数の部分領域に分割し、各部分領域のフォーカス評価値を算出し、評価値が最も高い部分領域の位置に基づいて、フォーカス調整位置を決定してもよい。なお、フォーカス評価値は、例えば、画像のコントラストやデフォーカス量に基づいて算出するものとする。これにより、拡大終了後にフォーカスを再調整するときに、よりスムーズに操作を行うことができる。
【００３８】
また、他の例としては、システム制御部１１０は、拡大領域の画像から人物の顔等予め定められた主被写体を検出し、検出位置に基づいて、フォーカス調整位置を決定してもよい。これにより、主被写体を追い続けてフォーカシングすることがスムーズにできるようになる。また、他の例としては、システム制御部１１０は、ゾーンＡＦやＡＩＡＦにより拡大領域内の複数の位置の測距位置を求め、デジタルビデオカメラから最も近い位置にある被写体に対応する位置をフォーカス調整位置として決定してもよい。また、他の例としては、システム制御部１１０は、ユーザ操作に応じて拡大領域内の任意の位置をフォーカス調整位置として決定してもよい。
【００３９】
次に、Ｓ２１４において、システム制御部１１０は、移動後の拡大領域の位置に応じて、拡大領域指標３２１の表示位置を移動する。次に、Ｓ２１５において、システム制御部１１０は、操作方法のキーガイドを表示するよう制御し、その後処理をＳ２１０へ進める。図３（ｃ）は、Ｓ２１５における表示部１０６の表示例を示す図である。移動指示に応じて、拡大領域が移動し、図３（ｃ）に示すように、表示部１０６には、図３（ｂ）において表示された領域と異なる領域の拡大映像３３０が表示される。拡大映像３３０は、拡大映像３１０の左側の領域の映像である。さらに、拡大映像３３０上には、キーガイド３４０が表示されている。キーガイド３４０には、ガイド３４１、３４２が含まれている。
【００４０】
ガイド３４１は、拡大キー１１８の押下により拡大表示を終了した場合に、拡大表示時に表示されていた拡大領域に基づいて、フォーカス枠の表示位置が変更されることをユーザに説明する情報である。ガイド３４２は、キャンセルキー１１６の押下によって拡大を終了した場合に、フォーカス枠の表示位置が変更されないことをユーザに説明する情報である。キーガイド３４０を表示することにより、ユーザは、拡大表示を終了するための２つの操作を確認することができる。また、ユーザは、２つの操作のいずれが適しているかを判断することができる。
【００４１】
Ｓ２１６において、システム制御部１１０は、ＳＥＴキー１１５が押下されたか否かを判定する。システム制御部１１０は、ＳＥＴキー１１５が押下されたと判定した場合には（Ｓ２１６でｙｅｓ）、処理をＳ２１７へ進める。システム制御部１１０は、ＳＥＴキー１１５が押下されていない判定した場合には（Ｓ２１６でｎｏ）、処理をＳ２１９へ進める。Ｓ２１７において、システム制御部１１０は、映像の拡大倍率を変更する。システム制御部１１０は、例えば、Ｓ２１６でＳＥＴキー１１５が押下される度に、拡大倍率を２倍、４倍、８倍、２倍、…のようにトグルで変更する。次に、Ｓ２１８において、システム制御部１１０は、レーダ３２０の拡大領域指標３２１の大きさを、Ｓ２１７で決定した拡大倍率に応じて変更し、その後処理をＳ２１０へ進める。
【００４２】
Ｓ２１９において、システム制御部１１０は、拡大キー１１８が押下されたか否かを判定する。システム制御部１１０は、拡大キー１１８が押下されたと判定した場合には（Ｓ２１９でｙｅｓ）、処理をＳ２２０へ進める。システム制御部１１０は、拡大キー１１８が押下されていないと判定した場合には（Ｓ２１９でｎｏ）、処理をＳ２２４へ進める。Ｓ２２０において、システム制御部１１０は、拡大領域指標３２１及びフォーカス調整位置指標３２２を含むレーダ３２０を表示部１０６から消去するよう制御する。次に、Ｓ２２１において、システム制御部１１０は、キーガイド３４０を表示部１０６から消去するよう制御する。
【００４３】
次に、Ｓ２２２において、システム制御部１１０は、映像の拡大表示を終了するよう制御する。次に、Ｓ２２３において、システム制御部１１０は、拡大表示状態から全体表示状態に切り替える。本処理は、切替処理の一例である。さらに、システム制御部１１０は、全体画像上に重畳して、システムメモリ１２０に保持されたフォーカス調整位置に対応する表示位置にフォーカス枠を重畳して表示するよう制御する。システムメモリ１２０に保持されたフォーカス調整位置は、Ｓ２１３で説明した通り、拡大領域の移動に伴って更新されており、拡大領域に基づく位置となっている。このように、Ｓ２２３では、拡大表示の終了時点に表示部１０６に表示されていた拡大領域の位置に応じて定まる位置に、表示アイテムとしてのフォーカス枠を重畳して表示するよう制御する。
【００４４】
図３（ｄ）は、Ｓ２２３における表示部１０６の表示例を示す図である。表示部１０６には、再び全体映像３５０が表示される。さらに、図３（ｄ）の例においては、フォーカス調整位置が被写体３０１から被写体３０２の位置に変更され、フォーカス枠３０３が被写体３０２の位置に重畳表示されている。図３（ｃ）に示すように、被写体３０２の領域が拡大表示された時点で拡大キー１１８が押下された場合に、このように、フォーカス枠３０３の表示位置が変更される。
【００４５】
Ｓ２２４において、システム制御部１１０は、キャンセルキー１１６が押下されたか否かを判定する。キャンセルキー１１６が押下されたと判定した場合には（Ｓ２２４でｙｅｓ）、処理をＳ２２５へ進める。システム制御部１１０は、キャンセルキー１１６が押下されたていない判定した場合には（Ｓ２２４でｎｏ）、処理をＳ２１０へ進める。Ｓ２２５、Ｓ２２６、Ｓ２２７の処理は、Ｓ２２０、Ｓ２２１、Ｓ２２２の処理と同様である。
【００４６】
Ｓ２２８において、システム制御部１１０は、Ｓ２０７において記録した仮値、すなわち拡大表示前に映像に対して設定されていたフォーカス調整位置（設定位置）で、システムメモリ１２０に保持したフォーカス調整位置を更新する。すなわち、フォーカス調整位置を、拡大前の位置に戻す。そして、システム制御部１１０は、拡大表示の後に、全体画像を表示するよう制御し、さらに全体画像に重畳してフォーカス調整位置を示す位置にフォーカス枠を重畳して表示するよう制御する。このように、システム制御部１１０は、キャンセルキー１１６が押下された場合には、拡大表示の後の全体映像の表示時には、拡大表示前に設定されていたフォーカス調整位置（設定位置）にフォーカス枠を表示するよう制御する。このように、ユーザは、操作部材である拡大キー１１８又はキャンセルキー１１６を押下することにより、フォーカス枠の表示位置が変更されるか否かを指定することができる。すなわち、フォーカス枠の表示位置が変更されるか否かを指定する操作方法は、操作対象の操作部材が異なる操作方法である。
【００４７】
以上の通り、第１の実施形態に係るデジタルビデオカメラは、拡大表示中に拡大領域を移動した場合に、拡大領域の移動に応じてフォーカス調整位置を変更するか否かをユーザ操作に応じて切り替えることができる。したがって、例えば、システム制御部１１０は、拡大表示中に主被写体の移動に応じて拡大位置を変更した場合に、フォーカス調整位置を変更後の拡大領域の位置に応じて変更することができる。一方で、システム制御部１１０は、拡大領域を変更し、他の被写体を確認した場合には、フォーカス調整位置を移動後の拡大領域に合わせて変更することなく、拡大前の元のフォーカス調整位置のままとすることもできる。このように、デジタルビデオカメラは、ユーザ操作に応じて、状況に応じた適切なフォーカス調整位置の表示や設定を行うことができる。
【００４８】
なお、第１の実施形態の第１の変更例としては、システム制御部１１０は、拡大表示終了の指示と、拡大解除後のフォーカス調整位置を拡大領域に合わせる指示（フォーカス調整位置の確定操作）と、を異なるタイミングにおいて受け付けてもよい。
【００４９】
（第２の実施形態）
次に、第２の実施形態に係るデジタルビデオカメラについて説明する。第２の実施形態に係るデジタルビデオカメラの構成は、第１の実施形態に係るデジタルビデオカメラの構成と同様である。図４は、第２の実施形態に係るデジタルビデオカメラによる表示制御処理を示すフローチャートである。なお、このフローチャートの動作は、システム制御部１１０が不揮発性メモリ１２４に記憶されたプログラムに基づいて、デジタルビデオカメラの各部を制御することによって実現される。このフローチャートは、フォーカスモードスイッチ１１２がＭＦに設定されている状態で実行される。また、図５は、図４のフローチャートが示す動作の過程で表示部１０６に表示される表示画面の一例を示す図である。Ｓ４０１〜Ｓ４０９の処理は、図２を参照しつつ説明したＳ２０１〜Ｓ２０９の処理と同様であり、Ｓ４０１において図３（ａ）の全体映像３００が表示され、Ｓ４０９において、図３（ｂ）の拡大映像３１０が表示されるものとする。
【００５０】
システム制御部１１０は、Ｓ４０９の処理の後、処理をＳ４１０へ進める。Ｓ４１０において、システム制御部１１０は、十字キー１１４のいずれかの方向が押下されたか否かを判定する。システム制御部１１０は、十字キー１１４が押下されたと判定した場合には（Ｓ４１０でｙｅｓ）、処理をＳ４１１へ進める。システム制御部１１０は、十字キー１１４が押下されていないと判定した場合には（Ｓ４１０でｎｏ）、処理をＳ４１３へ進める。Ｓ４１１において、システム制御部１１０は、十字キー１１４の操作に応じて、表示対象の拡大領域を移動し、移動後の拡大領域を表示するよう制御する。次に、Ｓ４１２において、システム制御部１１０は、移動後の拡大領域の位置に応じて、拡大領域指標３２１の表示位置を移動し、その後処理をＳ４１０へ進める。なお、Ｓ４１１及びＳ４１２の処理は、図２を参照しつつ説明したＳ２１３及びＳ２１４の処理と同様である。
【００５１】
図５（ａ）は、Ｓ４１２における表示部１０６の表示例を示す図である。表図３（ｂ）の拡大映像３１０から拡大領域が移動し、表示部１０６には、図５（ａ）に示すように、拡大映像３１０の左側の領域の拡大映像５００が表示される。さらに、拡大映像３１０上には、レーダ３２０が重畳表示されている。Ｓ４１２においては、拡大領域が移動したため、レーダ３２０において、拡大領域指標３２１とフォーカス調整位置指標３２２は異なる位置に表示されている。
【００５２】
また、Ｓ４１３において、システム制御部１１０は、フォーカスリング１１１又はワンショットＡＦキー１１７が操作されたか否かを判定する。本処理は、Ｓ４０５の処理と同様である。システム制御部１１０は、フォーカスリング１１１又はワンショットＡＦキー１１７が操作されたと判定した場合には（Ｓ４１３でｙｅｓ）、処理をＳ４１４へ進める。システム制御部１１０は、フォーカスリング１１１又はワンショットＡＦキー１１７が操作されていないと判定した場合には（Ｓ４１３でｎｏ）、処理をＳ４１７へ進める。
【００５３】
Ｓ４１４においてフォーカスを調整する処理は、Ｓ２０６の処理と同様である。なお、システムメモリ１２０に保持したフォーカス調整位置は、前述したＳ４１１の処理において拡大領域に合わせて更新されるため、Ｓ４１４でＡＦが行われる場合は、拡大領域内に対してＡＦが行われる。次に、Ｓ４１５において、システム制御部１１０は、フォーカス枠指標の表示位置を、Ｓ４１５の処理時点、すなわちフォーカスの調整操作を受け付けた時点で表示中の拡大領域の位置、すなわち、拡大領域指標の表示位置と同じ位置に移動する。図５（ｂ）は、Ｓ４１５における表示部１０６の表示例を示す図である。拡大映像５１０にレーダ３２０が重畳表示されている。図５（ｂ）においては、Ｓ４１５の処理により、フォーカス調整位置指標３２２が拡大領域指標３２１と同じ位置に表示されている。このように、フォーカス調整位置指標３２２が移動することにより、フォーカス枠が移動したことをユーザが認知することができる。
【００５４】
次に、Ｓ４１６において、システム制御部１１０は、システムメモリ１２０に記録されているフォーカス調整位置の仮値を、システムメモリ１２０に保持したフォーカス調整位置で更新する。システムメモリ１２０に保持したフォーカス調整位置は、拡大領域が変更されていた場合には、Ｓ４１１の処理において拡大領域に合わせて更新されている。すなわち、フォーカス調整操作を受け付けた時点で表示中の拡大領域の位置に応じて定まった位置である。このように、フォーカス調整操作は、拡大解除後の焦点調節位置の変更指示でもある。システム制御部１１０は、Ｓ４１６の処理の後、処理をＳ４１０へ進める。
【００５５】
また、Ｓ４１７において、システム制御部１１０は、ＳＥＴキー１１５が押下されたか否かを判定する。システム制御部１１０は、ＳＥＴキー１１５が押下されたと判定した場合には（Ｓ４１７でｙｅｓ）、処理をＳ４１８へ進める。システム制御部１１０は、ＳＥＴキー１１５が押下されていないと判定した場合には（Ｓ４１７でｎｏ）、処理をＳ４２０へ進める。Ｓ４１８及びＳ４１９の処理は、図２を参照しつつ説明した、Ｓ２１７及びＳ２１８の処理と同様である。
【００５６】
また、Ｓ４２０において、システム制御部１１０は、拡大キー１１８又はキャンセルキー１１６が押下されたか否かを判定する。システム制御部１１０は、拡大キー１１８又はキャンセルキー１１６が押下されたと判定した場合には（Ｓ４２０でｙｅｓ）、処理をＳ４２１へ進める。システム制御部１１０は、拡大キー１１８及びキャンセルキー１１６のいずれも押下されていないと判定した場合には（Ｓ４２０でｎｏ）、処理をＳ４１０へ進める。Ｓ４２１において、システム制御部１１０は、拡大領域指標３２１及びフォーカス調整位置指標３２２を含むレーダ３２０の表示を表示部１０６から消去するよう制御する。次に、Ｓ４２２において、システム制御部１１０は、映像の拡大表示を終了するよう制御する。
【００５７】
次に、Ｓ４２３において、システム制御部１１０は、全体映像を表示部１０６に表示するよう制御する。さらに、システム制御部１１０は、全体映像上の、システムメモリ１２０に記録されたフォーカス調整位置の仮値の位置で、システムメモリ１２０に保持したフォーカス調整位置を更新する。そして、フォーカス調整位置にフォーカス枠を重畳して表示するよう制御する。図５（ｃ）は、Ｓ４１６において仮値が更新された場合のＳ４２３における表示部１０６の表示例を示す図である。表示部１０６には再び全体映像５２０が表示される。さらに、図５（ｃ）の例においては、フォーカス調整位置の仮値の更新後の位置にフォーカス枠３０３が重畳表示されている。なお、Ｓ４１６における仮値の更新が行われなかった場合には、Ｓ４０７において記録された仮値、すなわち拡大表示前に設定されていたフォーカス調整位置に、フォーカス枠３０３が重畳表示される。なお、第２の実施形態に係るデジタルビデオカメラのこれ以外の構成及び処理は、第１の実施形態に係るデジタルカメラの構成及び処理と同様である。
【００５８】
以上のように、第２の実施形態に係るデジタルカメラは、拡大表示中に焦点調節位置の変更指示（フォーカス調整操作）を受け付けたか否かに応じて、フォーカス枠の表示位置及び設定位置を変更するか否かを自動的に判定することができる。すなわち、本実施形態におけるデジタルカメラも、第１の実施形態に係るデジタルカメラと同様に、ユーザ操作に応じて、状況に応じた適切なフォーカス調整位置の表示や設定を行うことができる。
【００５９】
なお、システム制御部１１０が行うものとして説明した上述の各種制御は、１つのハードウェアが行ってもよいし、複数のハードウェアが処理を分担することで、装置全体の制御を行ってもよい。
【００６０】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６１】
また、上述した実施形態においては、本発明をデジタルビデオカメラに適用した場合を例にして説明したが、これはこの例に限定されず、撮像画像を拡大表示可能な装置であれば適用可能である。例えば、カメラにより撮像された画像を受信して表示や処理が可能なリモートライブビュー機能を備えた携帯端末等の情報処理装置であってもよい。また、また、他の例としては、撮影後にリフォーカス可能な静止画や動画を表示可能な情報処理装置であってもよい。すなわち、本発明は、パーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダー等に適用可能である。また、本発明は、タブレット端末、スマートフォン、投影装置、ディスプレイを備える家電装置や車載装置等に適用可能である。
【００６２】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６３】
１０２  撮像部
１０６  表示部
１１０  システム制御部
【図１】
2018078508.tif 000003
【図２】
2018078508.tif 000004
【図３】
2018078508.tif 000005
【図４】
2018078508.tif 000006
【図５】
2018078508.tif 000007